(57)【要約】【課題】スライダーを両方向に移動させても一対のファスナーストリンガーを閉じられるようにする。【解決手段】本発明のスライダーは、左右に対向する一対のエレメント列５，５の間に配置される軸６と、一対のエレメント列をそれぞれ通す一対のスライダー片７，７であって軸によって連結されると共に軸に対して前後において開閉可能な一対のスライダー片とを備える。スライダー片は、エレメント列の長手方向に延びるスライダー片本体部８と、スライダー片本体部から軸側に突出すると共に軸によって他方のスライダー片に連結される連結部９とを備える。スライダー片本体部は、エレメントを案内するエレメント路１１と、テープ溝１２と、エレメント路の長手方向の両端部において対向するスライダー片の方に開口する一対の開口部１３，１３とを備える。【選択図】      図４
2020185231.tif 000002
【特許請求の範囲】
【請求項１】
前後に延び且つ左右に対向する一対のエレメント列（５，５）の間に配置される軸（６）と、一対の前記エレメント列（５，５）をそれぞれ通す一対のスライダー片（７，７）であって前記軸（６）によって連結されると共に前記軸（６）に対して前後において開閉可能な一対のスライダー片（７，７）とを備え、
前記スライダー片（７）は、前記エレメント列（５）の長手方向に延びるスライダー片本体部（８）と、前記スライダー片本体部（８）から前記軸（６）側に突出すると共に前記軸（６）によって他方の前記スライダー片（７）に連結される連結部（９）とを備え、
前記スライダー片本体部（８）は、前記軸（６）を中心にして前記エレメント列（５）の長手方向の両方向に延びて貫通すると共にエレメントを案内するエレメント路（１１）と、一対の前記エレメント列（５，５）を左右の対向する側縁部に固定してある一対のテープ（４，４）のうち片方の前記テープ（４）を案内すると共に前記エレメント路（１１）および外部に通じるテープ溝（１２）と、前記エレメント路（１１）の長手方向の両端部において対向する前記スライダー片（７）の方に開口する一対の開口部（１３，１３）とを備えることを特徴とするスライドファスナーのスライダー。
【請求項２】
前記スライダー片本体部（８）は、その表面のうち対向する前記スライダー片（７）の方を向く内側面（３１）を、前記軸（６）を中心にしてく字状に屈曲させてあることを特徴とする請求項１に記載のスライドファスナーのスライダー。
【請求項３】
前記スライダー片本体部（８）は、前記エレメント路（１１）の上下に対向する上板（２１）および下板（２２）と、前記エレメント路（１１）の左右のうち片側であって対向する前記スライダー片（７）の側において前記上板（２１）と前記下板（２２）との間に挟まれる柱（２３）と、前記エレメント路（１１）の左右のうち前記柱（２３）とは反対側において前記上板（２１）および前記下板（２２）のうち少なくとも一方から双方の上下方向の間隔を狭めるように突出するフランジ（２４）とを備えることを特徴とする請求項１又は２に記載のスライドファスナーのスライダー。
【発明の詳細な説明】
【技術分野】
【０００１】
本発明は、スライドファスナーにおいて一対のファスナーストリンガーを開閉可能なスライダーに関する。
【背景技術】
【０００２】
スライドファスナーは、一対のファスナーストリンガーのうち対向する一対のエレメント列の長手方向に沿ってスライダーを移動させることによって、一対のファスナーストリンガーを開いたり、閉じたりするものである。特許文献１には従来のスライドファスナーの一例が開示されている。このスライドファスナーは、一対のファスナーストリンガーを開くときにスライダーを移動させる方向と、閉じるときにスライダーを移動させる方向は、それぞれ一方向であり、正反対の方向である。
【０００３】
またスライドファスナーにはスライダーを移動させることなく、外力で一対のファスナーストリンガーを開くようにしたものも存在する（特許文献１〜３）。
【先行技術文献】
【特許文献】
【０００４】
【特許文献１】国際公開ＷＯ２０１２／０８６０７７号公報
【特許文献２】特開平８−１７３２１５号公報
【特許文献３】特開２００６−１５１５８号公報
【発明の概要】
【発明が解決しようとする課題】
【０００５】
ところで外力で一対のファスナーストリンガーを開くと、スライダーを移動させて、一対のファスナーストリンガーを閉じることが難しい。なぜなら上記した特許文献１に開示されたスライダーでは、スライダーを移動させる方向は、一対のファスナーストリンガーを開く場合と、閉じる場合で正反対だからである。
【０００６】
しかしながらストリンガーを一対のファスナーストリンガーの長手方向の両方向に移動させても、一対のファスナーストリンガーを閉じられるようにすれば、便利なこともある。
【０００７】
具体的な事例を挙げる。たとえばスライドファスナーの付いたカバーが寝具に装着されている場合に、そのカバーを別の寝具に装着する作業を想定する。この作業では、スライダーを移動させて一対のファスナーストリンガーを開き、カバーから寝具を取出し、その後にカバーを別の寝具に被せ、その上でスライダーを移動させて一対のファスナーストリンガーを閉じなければならない。この場合、スライダーを移動させる回数は二回である。
【０００８】
しかしながらカバーから寝具を取り出すときにスライダーを移動させずに外力で一対のファスナーストリンガーを開き、カバーを別の寝具に被せた後にだけスライダーを移動させてカバーを寝具に装着できれば、スライダーを移動させる回数は１回だけで済む。
【０００９】
本発明は上記実情を考慮して創作されたもので、その目的は両方向に移動させても一対のファスナーストリンガーを閉じることのできるスライダーを提供することにある。
【課題を解決するための手段】
【００１０】
本発明のスライドファスナーのスライダーは、前後に延び且つ左右に対向する一対のエレメント列の間に配置される軸と、一対のエレメント列をそれぞれ通す一対のスライダー片であって軸によって連結されると共に軸に対して前後において開閉可能な一対のスライダー片とを備える。スライダー片は、エレメント列の長手方向に延びるスライダー片本体部と、スライダー片本体部から軸側に突出すると共に軸によって他方のスライダー片に連結される連結部とを備える。スライダー片本体部は、軸を中心にしてエレメント列の長手方向の両方向に延びて貫通すると共にエレメントを案内するエレメント路と、一対のエレメント列を左右の対向する側縁部に固定してある一対のテープのうち片方のテープを案内すると共にエレメント路および外部に通じるテープ溝と、エレメント路の長手方向の両端部において対向するスライダー片の方に開口する一対の開口部とを備える。
【００１１】
一対のスライダー片は前後において開閉可能という構成に特定してあるが、スライダー片本体部は、その表面のうち対向するスライダー片の方を向く面、つまり内側面を、どのような形状にしてあるのかを特定していない。そしてその内側面を次のようにすることが望ましい。
すなわちスライダー片本体部は、その表面のうち対向するスライダー片の方を向く内側面を、軸を中心にしてく字状に屈曲させることである。
【００１２】
テープ溝はスライダー片本体部のどの部位にあるかを問わないが、例えばスライダー片本体部の上面にある場合と、スライダー片本体部の左右側面の一方（より詳しく言えば左右側面のうち対向するスライダー片本体部とは反対側の面）にある場合とが挙げられる。前者の場合、つまりスライダー片本体部の上面にテープ溝がある場合のスライダーは、俗に隠しファスナーと称されるスライドファスナーに使用されるスライダーである。隠しファスナーは、スライダーをできるだけ外部から視認できないようにするためのものである。一方、後者の場合のスライダーは隠しファスナーに比べて外部から視認し易いものである。
【００１３】
スライダー片本体部は、空間部、すなわち無体物としてエレメント路、テープ溝、開口部を備えるものであるが、その空間部を形成する有体物として、前記した後者の場合（テープ溝がスライダー片本体部の左右側面の一方にある場合）には次のように構成することが望ましい。
すなわちスライダー片本体部は、エレメント路の上下に対向する上板および下板と、エレメント路の左右のうち対向するスライダー片の側において上板と下板との間に挟まれる柱と、エレメント路の左右のうち柱とは反対側において上板および下板のうち少なくとも一方から双方の上下方向の間隔を狭めるように突出するフランジとを備えることである。そして狭められた間隔がテープ溝の間隔となる。
【００１４】
またスライダー片本体部は、空間部を形成する有体物として、前記した前者の場合（テープ溝がスライダー片本体部の上面にある場合）は次のように構成することが望ましい。  すなわちスライダー片は、エレメント路の下方に位置する下板と、エレメント路の上方に位置する上板であってエレメント路の長手方向の中間部における左右のうち対向するスライダー片の側に位置する上板と、上板と下板との間に挟まれる柱と、エレメント路の左右のうち柱とは反対側において下板から上方に突出する側板と、側板の上端部から対向するスライダー片の方に向かって側方に突出するフランジとを備えるものである。そしてフランジと上板との間隔がテープ溝の間隔となる。
【発明の効果】
【００１５】
本発明のスライダーは、一対のスライダー片を後側において閉じれば、一対のスライダー片の前側が開き、内部には一対のエレメント路が一対の開口部を介してＶ字状に連続し、逆に一対のスライダー片を前側において閉じれば、一対のスライダー片の後側が開き、内部には一対のエレメント路が一対の開口部を介して逆Ｖ字状に連続するので、スライダーを一対のエレメント列の長手方向の両方向に移動させて、一対のエレメント列と一対のテープとを備える一対のファスナーストリンガーを閉じることができる。
【図面の簡単な説明】
【００１６】
【図１】本発明の第一実施形態のスライダーを示す斜視図である。
【図２】第一実施形態のスライダーを示す平面図である。
【図３】図２のIII−III線断面図である。
【図４】図３のIV−IV線断面図である。
【図５】図２のV-V線断面図である。
【図６】第一実施形態のスライダーを構成する一対のスライダー片の分解図である。
【図７】第一実施形態のスライダーを適用したスライドファスナーを示す平面図である。
【図８】図７のVIII−VIII線断面図である。
【発明を実施するための形態】
【００１７】
本発明のスライダー２を適用するスライドファスナーＦは、図７に示すように、平行に並べると共に開閉可能な一対のファスナーストリンガー１，１と、一対のファスナーストリンガー１，１を開閉すると共に一対のファスナーストリンガー１，１の対向する側縁部に沿って移動可能なスライダー２と、一対のファスナーストリンガー１，１の長手方向の両端部においてスライダー２の移動を止めると共一対のファスナーストリンガー１，１を接合する一対の止具３，３とを備える。
【００１８】
以後の方向性を説明するに際して、ファスナーストリンガー１の長手方向のことを前後方向とも言う。「前方向」とは図７の上方向であり、「後方向」とは図７の下方向である。また左右方向とは、長手方向（前後方向）と直交し且つ一対のファスナーストリンガー１，１を並べる方向のことであり、幅方向とも言う。左方向とは、図７の左方向である。右方向とは、図７の右方向である。さらに前後方向及び左右方向に直交する方向を上下方向（厚み方向）と言う。「上方向」とは、図７の紙面に対して直交する方向、すなわち前後方向及び左右方向に直交する方向のうち手前側を向く方向であって、「下方向」とは、図７の紙面に対して直交する方向のうち奥側を向く方向である。
【００１９】
一対のファスナーストリンガー１，１は図７，８に示すように、前後に延びると共に平面上において左右に対向して並べる一対のテープ４，４と、一対のテープ４，４における対向する左右の側縁部に沿って固定された一対のエレメント列５，５とを備える。
【００２０】
テープ４は左右に比べて前後に長い帯状であって、その厚み方向を上下方向とするものである
【００２１】
エレメント列５は、図７，８に示すようにテープ４の対向する側縁部に沿って前後に間隔をあけて一列に配置された多数の独立したエレメントによって形成されるか、図示しないが、テープ４の対向する側縁部に沿って前後に連続するエレメントからなるモノフィラメントによって形成される。ちなみにモノフィラメントはコイル状やジグザグ状に湾曲したものである。なお一対のエレメント列５，５は、エレメント同士が噛合した状態から分離した状態になる場合に、スライダー２を移動させても良いし、スライダー２を移動させなくても良いもの（外力で分離可能なもの）を用いる。
【００２２】
本発明の第一実施形態のスライダー２は図１に示すように、左右のエレメント列５，５の間に配置される軸６と、左右のエレメント列５，５をそれぞれ通す左右のスライダー片７，７であって軸６によって連結されると共に軸６に対して前後において開閉可能な左右のスライダー片７，７とを備える。
【００２３】
スライダー片７は図１〜３，６に示すように、軸６を中心にして揺動可能である。またスライダー片７は、軸６に対してエレメント列５の長手方向の両方向に延びるスライダー片本体部８と、スライダー片本体部８から軸６側に突出すると共に軸６によって他方のスライダー片７に連結する連結部９とを備える。
【００２４】
スライダー片本体部８は図４に示すように、無体物、つまり空間部として、軸６を中心にしてエレメント列５の長手方向の両方向に延びて貫通すると共にエレメントを案内するエレメント路１１と、エレメント路１１および外部に通じると共にテープ４を案内するテープ溝１２と、エレメント路１１の長手方向の両端部において対向するスライダー片７の方に向かって開口する一対の開口部１３，１３とを備える。
なお一対のスライダー片７，７が後側において閉じ、前側において開いた状態の場合には、一方のスライダー片７のエレメント路１１は後方に向かうにつれて他方のスライダー片７に向かって接近するように前後方向に対して傾斜した状態となる。その逆に、一対のスライダー片７，７が前側において閉じ、後側において開いた状態の場合には、一方のスライダー片７のエレメント路１１は後方に向かうにつれて他方のスライダー片７から離れるように前後方向に対して傾斜した状態となる。
【００２５】
スライダー片本体部８は図３，５に示すように、空間部を形成する有体物として、エレメント路１１の上下に対向する上板２１および下板２２と、エレメント路１１の左右のうち片側であって対向するスライダー片７の側において上板２１と下板２２との間に挟まれる柱２３と、エレメント路１１の左右のうち柱２３とは反対側において上板２１および下板２２の双方から双方の上下方向の間隔を狭めるように突出する一対のフランジ２４，２４と、上板２１の前部および後部から上方に突出する前後の操作部２５，２５と、操作部２５から柱２３とは反対側に突出する滑り止め２６を備える。
【００２６】
スライダー片７（スライダー片本体部８）は図６に示すように、表面を構成する部位として、対向するスライダー片７の方を向く内側面３１と、対向するスライダー片７とは反対の方を向く外側面３２と、上面３３と、下面３４と、エレメント列５の長手方向のうち前方を向く前面３５と、エレメント列５の長手方向のうち後方を向く後面３６とを備える。
【００２７】
スライダー片７の前面３５と後面３６に貫通するようにエレメント路１１が形成される。またスライダー片７の外側面３２には前後方向に貫通するテープ溝１２が形成される。テープ溝１２は本実施形態では一対のフランジ２４，２４の間に形成される。なおスライダー片７の外側面３２には前記した滑り止め２６が前後に間隔をあけて形成される。
【００２８】
また一対のスライダー片７，７の上面には、軸６に対して前後両側にスライダー２を移動させるときの目印３３ａが形成されている。そしてスライダー片７の上面３３には目印３３ａの一部３３ｂが示されている。図示の例では目印３３ａは矢印であり、スライダー２を移動させる方向を示している。また目印３３ａを左右で２分したものが目印３３ａの一部３３ｂであり、スライダー片７の上面に形成されている。そして前後において開閉可能な一対のスライダー片７，７を閉じた側において、目印３３ａは矢印の形状となってスライダー２の上面に示される。
【００２９】
スライダー片７の内側面３１は図６に示すように、軸６を中心にしてく字状に屈曲させてある。より詳しく言えば、内側面３１は軸６に対して後方に位置する後方内側面３１ａと、軸６に対して前方に位置する前方内側面３１ｂとを備える。そして後方内側面３１ａと前方内側面３１ｂとの内側に形成される内角θを鈍角（９０度よりも大きく、１８０度よりも小さい角度）にしてある。なおスライダー片７の内側面３１の屈曲部（軸６側の部分）は、柱２３の内側面でもある。そして柱２３の外側面はエレメント路１１に対面している。そして柱２３の内側面と外側面とは三角柱の三面を形成する。また一対のスライダー片７，７における一対の柱２３，２３は連結部９を介して軸６によって連結されている。一対の柱２３，２３は一対のエレメント路１１，１１の間に挟まれると共に、一対のエレメント路１１，１１の長手方向の中間部に相当する位置に存在する。そして一対の柱２３，２３における一対の外側面は一対のエレメント路１１，１１に対面している。また後方内側面３１ａと前方内側面３１ｂとが交差する角部には対向するスライダー片７に向かって連結部９が突出して形成される。
【００３０】
連結部９は平面視すると、円盤形状である。より詳しく言えば、スライダー片７を平面視すると、スライダー片本体部８の後方内側面３１ａと前方内側面３１ｂとが交差する点を中心とする円盤が連結部９である。この円盤のうち内角θに対して外側に配置された部分は、連結部９が単独で備える部分である。本実施形態では、この円盤のうち前記した内角θの内側に配置された部分は、スライダー片本体部８の一部でもあり、スライダー片本体部８と連結部９とが共有する部分である。
【００３１】
また一方のスライダー片７の連結部９と他方のスライダー片７の連結部９とは図３，５に示すように、上下に重なり合っている。図示の例では一方のスライダー片７は、連結部９を二つ備える。二つの連結部９，９は、スライダー片本体部８から上下に間隔をあけて突出する。また他方のスライダー片７は連結部９を一つ備える。そして他方のスライダー片７の連結部９は、一方のスライダー片７の一対の連結部９，９の間に挟まれる状態で上下に重なり合っている。
【００３２】
また上下に重なり合う連結部９，９は図２，４，６に示すように、互いの円盤の中心部に軸６が貫通する貫通穴９ｈを備える。そして軸６を中心にしてスライダー片７が揺動するときには、スライダー片７の一部である連結部９も一緒に揺動する。連結部９の揺動を確保するために、スライダー片本体部８の内側面３１には軸６から半径方向に離れるように凹んだ凹部８ａが形成される。凹部８ａは、対向するスライダー片７の連結部９を収容する凹みであって、当該連結部９が軸６を中心にして揺動可能な状態で凹部８ａに収容される。
【００３３】
なお軸６は連結部９の貫通穴９ｈから抜け外れないように何れかのスライダー片７の連結部９に固定される。
【００３４】
上記した第一実施形態のスライダー２は以下のようにして使用する。
例えば図７に示すように実線で示すスライダー２に対して後方において一対のエレメント列５，５が開いた状態、つまりエレメントが分離した状態となっている場合を想定する。そしてスライダー２を後方に移動させて、一対のエレメント列５，５を閉じ、エレメントを噛合させることにする。そうするには、スライダー２の一対のスライダー片７，７を軸６に対して後側において開き、前側において閉じた状態にする。そうすると、スライダー２の内部では、一対のエレメント路１１，１１が前側の一対の開口部１３，１３を介して逆Ｖ字状に通じる状態になる。この状態を保持したまま、スライダー２を後方に移動させると、軸６よりも前方で一対のエレメント列５，５が閉じ、エレメントが噛合する。
【００３５】
また逆に、図７の一点鎖線で示したスライダー２のように、スライダー２に対して前方において一対のエレメント列５，５が開き、エレメントが分離した状態となっている場合を想定する。そしてスライダー２を前方に移動させて、一対のエレメント列５，５を閉じ、エレメントを噛合させることにする。そうするには、スライダー２の一対のスライダー片７，７を軸６に対して前側において開き、後側において閉じた状態にする。そうすると、スライダー２の内部では、一対のエレメント路１１，１１が後側の一対の開口部１３，１３を介してＶ字状に通じる状態になる。この状態を保持したまま、スライダー２を前方に移動させると、軸６よりも後方で一対のエレメント列５，５が閉じ、エレメントが噛合する。
【００３６】
このように第一実施形態のスライダー２は、スライダー２を一対のエレメント列５，５の長手方向の両方向に移動させて、一対のファスナーストリンガー１，１を閉じることができる。また第一実施形態のスライダー２は、目印３３ａを軸６に対して前後に備えているので、目印３３ａによってスライダー２を閉じる方向を把握できる。また第一実施形態のスライダー２は、滑り止め２６を備えるので、スライダー２を操作しやすい。また第一実施形態のスライダー２は、前後に操作部２５を備えるので、一対のスライダー片７，７を指で挟んで操作する場合に、挟みやすくなる。
【００３７】
本発明は上記実施形態に限定されるものではない。例えば、軸６は上記実施形態ではスライダー片７とは別部品となっていたが、本発明ではこれに限らず、一対の連結部９，９に挟まれる中央の連結部９と一体成型されたものであっても良い。この場合、中央部の連結部９に対して軸６は上下に突出し、上下の連結部９，９は軸６が嵌合する穴が形成されたものであっても良い。またテープ溝１２は上記実施形態ではスライダー片７の外側面に形成されていたが、本発明ではこれに限らず、スライダー片７の上面に形成されるものであっても良い。
【符号の説明】
【００３８】
Ｆ  スライドファスナー
１  ファスナーストリンガー
２  スライダー
３  止具
４  テープ
５  エレメント列
６  軸
７  スライダー片
８  スライダー片本体部
８ａ  凹部
９  連結部
９ｈ  貫通穴
１１  エレメント路
１２  テープ溝
１３  開口部
２１  上板
２２  下板
２３  柱
２４  フランジ
２５  操作部
２６  滑り止め
３１  内側面
３１ａ  後方内側面
３１ｂ  前方内側面
３２  外側面
３３  上面
３３ａ  目印
３３ｂ  一部
３４  下面
３５  前面
３６  後面
θ  内角
【図１】
2020185231.tif 000003
【図２】
2020185231.tif 000004
【図３】
2020185231.tif 000005
【図４】
2020185231.tif 000006
【図５】
2020185231.tif 000007
【図６】
2020185231.tif 000008
【図７】
2020185231.tif 000009
【図８】
2020185231.tif 000010